(57)【要約】【課題】電子鍵の盗難等による使用に対して安全性の高い電子錠システムを提供する。【解決手段】扉の内側に人がいる場合の電子鍵２での解錠の可／不可を制御端末３で設定し、扉の内側にいる在室者を検出し、在室者に応じた扉の解錠制御を行う。【選択図】図１
2007191915.tif 000002
【特許請求の範囲】
【請求項１】
入退出のための扉に用いて、電子鍵の認証によって電子錠が前記扉の解制御を行う電子錠システムにおいて、前記扉の内側に人がいる場合の前記電子鍵での解錠の可／不可を設定し、前記扉の内側にいる在室者を検出し前記在室者に応じた前記扉の解錠制御を行う電子錠システム。
【請求項２】
前記在室者の検出は、解錠時に使用した前記電子鍵の鍵ＩＤを記憶し、施錠時に前記鍵ＩＤを消去し、前記鍵ＩＤが記憶に残っているかどうかによって判断する請求項１記載の電子錠システム。
【請求項３】
前記在室者の検出は、前記扉の内側付近に設置して入室者の検出を行う人検出センサを備えて前記在室者の検出を行う請求項１記載の電子錠システム。
【請求項４】
前記在室者の検出は、室内に設置した無線送受信機で在室者が持つ電子鍵の鍵ＩＤの読み取りを行って在室者を検出する請求項１記載の電子錠システム。
【請求項５】
前記扉の解錠制御は、あらかじめ設定した人が室内にいると室外から電子鍵では開かないこととする請求項１から４のいずれか記載の電子錠システム。
【請求項６】
前記扉の解錠制御は、あらかじめ設定した人が室内にいると、室内にいる人が許可することで室外から扉の解錠ができることとする請求項１から４のいずれか記載の電子錠システム。
【請求項７】
請求項１〜６のいずれか１項記載の電子錠システムの少なくとも一部を電子機器で実行させるプログラム。
【発明の詳細な説明】
【技術分野】
【０００１】
本発明は、入退出のための扉に用いて、扉の解錠を行う電子錠システム、およびそのプログラムに関するものである。
【背景技術】
【０００２】
電子錠システムは、電子鍵によって入力される鍵信号と電子錠側に登録されている情報が電気的に照合されて、鍵信号の一致／不一致の判断を受けて扉の解錠／施錠が行われる入出門システムである。
【０００３】
例えば、訪問者が携帯する電子鍵と、前記電子鍵と非接触で信号を送受する情報送受部を備えた電子錠と、扉開閉用センサとで構成する。
【０００４】
前記電子鍵は、内部に電磁波を検知する検知部と、電磁波を検知した場合に信号を送信する信号送信部とを有する。
【０００５】
前記情報送受部は、電磁波を発生する電磁波発生部と、扉開閉用センサを能動状態と非能動状態に切り替えるセンサ切替信号出力部とを有し、前記電子鍵が電子鍵挿入口に挿入されることにより、電子鍵からの信号を受信し、扉開閉用センサが訪問者を検知することにより、扉を開放する電子錠システムが提案されている（特許文献１参照）。
【特許文献１】特開平１１−３３６３９１号公報
【発明の開示】
【発明が解決しようとする課題】
【０００６】
しかしながら上記のようなシステム構成では、電子錠に対応する電子鍵を入手すればいつでも解錠できるため、電子鍵が他人の手に渡れば通常の機械式鍵と同じことになる。
【０００７】
本発明は、前記従来の課題を解決するもので、電子鍵の盗難等による使用に対してより安全な電子錠システムを提供することを目的とする。
【課題を解決するための手段】
【０００８】
上記課題を解決するため、本発明の電子錠システムは、前記扉の内側に人がいる場合の前記電子鍵での解錠の可／不可を設定し、扉の内側にいる在室者を検出して前記在室者に応じた前記扉の解錠制御を行うものである。これによって、個々の電子鍵および在室者に応じて扉の解錠制御を行うことができる。
【発明の効果】
【０００９】
本発明の電子錠システムは、個々の電子鍵および在室者に応じて扉の解錠制御を行うことができるので、例えば、子供だけで在室しているときなどに盗難された電子鍵等によって室外から勝手に解錠されて侵入されたりすることがなく、より安全を保つことができる。
【発明を実施するための最良の形態】
【００１０】
第１の発明の電子錠システムは、扉の内側に人がいる場合の電子鍵での解錠の可／不可を設定し、前記扉の内側にいる在室者を検出し、前記在室者に応じた前記扉の解錠制御を行うようにしたものである。
【００１１】
これにより、在室者に応じて解錠の可／不可を制御して在室者の安全を確保することが
できる。
【００１２】
第２の発明の電子錠システムは、第１の発明の在室者の検出を、解錠時に使用した前記電子鍵の鍵ＩＤを記憶し、施錠時に前記鍵ＩＤを消去し、前記鍵ＩＤが記憶に残っているかどうかによって判断するようにしたものである。
【００１３】
これにより、電子鍵を用いて開錠した人が在室者として記憶されるので、電子鍵を用いるだけで在室者を管理することができる。
【００１４】
第３の発明の電子錠システムは、第１の発明の在室者の検出を、扉の内側付近に設置して入室者の検出を行う人検出センサを備えて前記在室者の検出を行うこととしたものである。
【００１５】
これにより、扉の内側付近に設置した人検出センサによって入室する人を検出するので、入室してくる人を確実に検出することができる。
【００１６】
第４の発明の電子錠システムは、第１の発明の在室者の検出を、室内に設置した無線送受信機で電子鍵の鍵ＩＤの読み取りを行って在室者を検出することとしたものである。
【００１７】
これにより、室内で電子鍵の鍵ＩＤの読み取りを行って在室者を検出するので、電子鍵を用いずに複数人で同時に入室しても在室者を確実に検出することができる。
【００１８】
第５の発明の電子錠システムは、前記扉の解錠制御は、あらかじめ設定した人が室内にいると室外から電子鍵では開かないこととしたものである。
【００１９】
これにより、例えば、電子鍵を保持している一人または一組だけしか入れない施設や部屋に設置することで、プライバシーを守る施設とすることができる。
【００２０】
第６の発明の電子錠システムは、前記扉の解錠制御は、あらかじめ設定した人が室内にいると室内にいる人が許可することで室外から扉の解錠ができることとしたものである。
【００２１】
これにより、室内にいる人が許可しないと扉の解錠ができない制御を行うので、在室者の安全を確保することができる。
【００２２】
第７の発明は、第１〜６の発明の電子錠システムにおいて、その少なくとも一部を電子錠または電子鍵で実行させるプログラムで、これによって記録媒体や通信回線でのダウンロードによって運用途中でのプログラムの変更や追加を行うことができるので、新たな仕様変更に対応できる。
【００２３】
以下、本発明の実施の形態について、図面を参照しながら説明する。なお、この実施の形態によって本発明が限定されるものではない。
（実施の形態１）
以下、本発明の第一の実施の形態について図面を用いて説明する。
【００２４】
図１は、本発明の第一の実施の形態における電子錠システムのシステム構成図である。
【００２５】
電子錠１ａおよび電子錠１ｂは無線通信機（図示せず）を内蔵しており、それぞれ住宅の玄関扉４と勝手口５に設置して、無線通信機（図示せず）を内蔵した電子鍵２を持つ住人が近づくことによって解錠、施錠を行うことで扉の開閉制御を行う。
【００２６】
また、制御端末３は、電子錠１と有線で接続されて居間や台所などの居住スペースに設置して、電子鍵２との屋内での無線通信、電子鍵２の動作設定や電子錠１との通信と開閉制御を行い、電子錠１の開閉時の状態表示を行う。
【００２７】
電子錠１は図２のブロック図で示すように、電子鍵２との通信を無線通信機を内蔵して無線で行う電子鍵通信部１１と、タクトスイッチ等で構成されて解錠時に押す解錠ボタン１２と、タクトスイッチ等で構成されて施錠時に押す施錠ボタン１３と、ＬＥＤやブザー等で構成されて電子錠１の開閉状況を表示する表示部１４と、制御端末３と有線で接続されて通信を行う制御端末通信部１５と、ＣＰＵやメモリ等で構成されて全体の通信制御を行ったりデッドボルト（かんぬき）の駆動を行って扉の施錠／解錠の制御を行う電子錠制御部１６とで構成される。
【００２８】
電子鍵１の形態は、携帯電話、名刺型のカード、キーホルダー、筆記具、ペンダント、腕時計等に内蔵して常に携帯するようなものとしている。
【００２９】
制御端末３は図３のブロック図で示すように、電子錠１との通信を行う電子錠通信部３１と、無線送受信機３２１を内蔵して電子鍵２との無線通信を行う制御端末用電子鍵通信部３２と、キーパッドやタッチパネル等で構成されて使用者が入力を行う入力部３３と、液晶ディスプレイ等で構成されて入力部３３での入力内容の表示や電子錠１の状況を表示する表示部３４と、ブザーやスピーカー等で構成されてチャイムや音声などを出力する音声出力部３６と、ＣＰＵやメモリ等で構成されて電子鍵２の登録情報や動作条件を記憶して全体の制御を行う制御部３７とで構成される。
【００３０】
なお、電子鍵２の無線での通信可能距離は２メートル程度の短距離のみとしておき、離れた場所からの通信は不可能にすることで、電子鍵２を保有している人が屋内や建物付近にいても他人が電子錠１を勝手に操作できないようにする。
【００３１】
まず、電子鍵２で電子錠１が開閉できるように、電子鍵２の登録の手順を示す。
【００３２】
電子鍵２を所持した状態で制御端末３の入力部３３によって鍵登録状態を設定すると、制御端末用電子鍵通信部３２が電子鍵２に対して鍵ＩＤを要求し、受信した電子鍵２は鍵ＩＤを制御端末３に対して送出し、制御端末３では、受信した電子鍵２の鍵ＩＤを制御部３７へ通知する。
【００３３】
制御部３７では、通知された電子鍵２の鍵ＩＤがこれまでに記憶されたことのない未登録の鍵の場合は、図４のように、表示部３４に鍵登録画面を表示し、電子鍵２の鍵ＩＤ３０１を表示部３４に示して、この鍵ＩＤの鍵の登録画面であることを示す。
【００３４】
使用者は、鍵登録画面に示された動作設定を表示部３４の上に設置された入力部３３であるタッチパネルによって選択しながら、それぞれの設定を行う。
【００３５】
タッチパネルのボタンである「名称」３０２を押すと、図５のように名称設定の画面を表示部３４に表示し、電子鍵２を誰が使用するかによって表示されているボタンの中から選択してボタンを押す。例えば、「おとうさん」３０６を押すと、ボタンが反転表示され、「決定」３０７を押すと電子鍵２の名称を決定し、図６の鍵登録画面に戻って名称の欄３０２および鍵ＩＤ３０１に「おとうさん」と表示される。名称設定画面の「中止」３０８を押すと、名称設定で選択した項目を反映せずに、図４の鍵登録画面に戻る。
【００３６】
同様にして、図６の状態より「解錠／施錠」３０３を押すと、図７（Ａ）の解錠可の在室者設定画面を表示し、登録済みの電子鍵２の名称をボタン３０９を押して他の電子鍵２
で解錠して入室した人のみが屋内にいる場合の登録している電子鍵２での解錠可／不可を設定する。図７（Ａ）の例では、「おじいちゃん」と「おばあちゃん」を選択した設定となるので、「おかあさん」、「ぼく」、「わたし」のみが在室している場合は、登録している電子鍵２では解錠できず、内部の人に内側から解錠してもらうことになるため、電子鍵２を他人に奪われて使われたとしても内部の人の確認なしに電子錠１を解錠される心配がない。
【００３７】
また、図７（Ａ）の状態で「決定」３１０を押すと、つづけて図７（Ｂ）の施錠可の在室者設定画面を表示し、登録済みの電子鍵２の名称をボタン３０９を押して他の電子鍵２で解錠して入室した人のみが屋内に残る場合の登録している電子鍵２での施錠可／不可を設定する。図７（Ｂ）の例では、すべてを選択した設定となるので、誰がいても外出時には施錠を行って出かけられるので、内部から再度施錠を行う必要がない。
【００３８】
図７（Ｂ）の状態で「決定」３１３を押すと、電子鍵２による解錠／施錠の設定を決定して、図８の鍵登録画面に戻って、解錠／施錠欄３０３に登録する電子鍵２によって解錠／施錠の可能な在室者が表示される。
【００３９】
以上のように設定を行い、図８の鍵設定画面の「登録」３０４を押すと、制御端末３は電子鍵２を登録して鍵設定情報として制御部３７に記憶する。
【００４０】
次に、電子鍵２での電子錠１の開閉の手順を図９および図１０の制御端末３の動作フローチャートとともに示す。
【００４１】
電子鍵２を保持した使用者が玄関扉４の前に立つと、電子錠１ａ（以降、電子錠１とする）の電子鍵通信部１１は電子鍵２に鍵ＩＤ要求を行い、電子錠２より受信した鍵ＩＤを制御端末通信部１５より制御端末３に通知する。
【００４２】
制御端末３では電子錠通信部３１で受信した鍵ＩＤを制御部３７に記憶している鍵設定情報と照合して以下の（１）から（３）のいずれかの処理を行う（Ｓ０１）。
【００４３】
（１）制御端末３では、電子錠通信部３１で受信した鍵ＩＤを制御部３７に記憶している鍵設定情報と照合して（Ｓ０２）、未登録である場合（Ｓ０２のＮｏ）は電子錠通信部３１より電子錠１に対して使用不可通知を行う（Ｓ０３）。
【００４４】
電子錠１では、制御端末通信部１５によって使用不可通知を受信すると、状況表示部１４によって使用不可であることを表示する。例えば、ＬＥＤを点滅させたり、ブザーを鳴らすことで使用者に知らせる。
【００４５】
（２）鍵ＩＤが制御部３７に記憶している鍵設定情報と照合して（Ｓ０２）、登録済みであり（Ｓ０２のＹｅｓ）、かつ解錠可設定をしている人を含む在室者がいる場合（Ｓ０４のＹｅｓ）は、電子錠通信部３１より電子錠１に対して解錠可通知を行い（Ｓ０５）、電子錠１からの次の通知を待つ。
【００４６】
なお、解錠可設定をしている人を含む在室者がいる場合とは、例えば図７（Ａ）の設定では「おじいちゃん」のみが在室している場合や「おじいちゃん」、「おかあさん」、「わたし」の３人が在室の場合のように電子鍵２の登録時に解錠可の在室者の設定に指定した在室者がいる場合のことである。
【００４７】
電子錠１で制御端末３より解錠可通知を受信後に解錠ボタン１２が押されると、制御端末通信部１５より制御端末３へ解錠要求が通知される。
【００４８】
制御端末３では、電子錠通信部３１で受信した通知が解錠要求であった場合（Ｓ０６のＹｅｓ）、電子錠通信部３１より電子錠１に対して解錠通知を行う（Ｓ０７）。
【００４９】
電子錠１は制御端末通信部１５より解錠通知を受信すると、電子錠制御部１６によって玄関扉４のデッドボルトを駆動して解錠を行う。これにより、使用者は玄関扉４のノブを回すことで扉を開けることができる。
【００５０】
（３）また、鍵ＩＤが制御部３７に記憶している鍵設定情報と照合して、登録済みであり、かつ解錠可設定をしている人を含む在室者がいない場合（Ｓ０４のＮｏ）は、電子錠通信部３１より電子錠１に対して解錠待ち通知を行う（Ｓ０８）。
【００５１】
なお、解錠可設定をしている人を含む在室者がいない場合とは、例えば図７（Ａ）の設定では「ぼく」のみが在室している場合や「おかあさん」、「ぼく」、「わたし」の３人が在室の場合のように電子鍵２の登録時に解錠可の在室者の設定に指定した在室者がいない場合のことである。
【００５２】
電子錠１で解錠ボタン１２が押されると、制御端末通信部１５より制御端末３へ解錠要求が通知される。
【００５３】
制御端末３では、電子錠通信部３１で受信した通知が解錠要求であった場合（Ｓ０９）、音声出力部３６より解錠要求者がいることを通知する（Ｓ１０）。例えば、「おとうさん」として登録した電子鍵２を持つ人が解錠ボタン１２を押したときには、“「おとうさん」が帰宅しました”等の合成音声を送出することで、誰が帰宅したかがわかる。
【００５４】
音声により帰宅者を確認した在室者は、インターホンのカメラや扉ののぞき穴から帰宅者を確認した後、制御端末３の入力部３４によって解錠許可を行ったり玄関扉４の内側からサムターンを回すことによって解錠を行う。これにより、使用者は玄関扉４のノブを回すことで扉を開けることができる。
【００５５】
このように電子鍵２が使用されて解錠されると（Ｓ１１〜Ｓ１２）、使用者（たとえば「おとうさん」）が在室していると制御端末３の制御部３７が記憶する（Ｓ１３）。
【００５６】
上記の手順（２）または（３）において、制御端末３が電子錠１へ解錠可通知または解錠待ち通知を送信した後、あらかじめ定めた時間（例えば３０秒）内に解錠ボタン１２が押されずに解錠要求が通知されなかった場合は、解錠制御をいったん終了し、再度最初から解錠制御の手順を実施して在室者としての記憶も行わない。
【００５７】
また、外出時の施錠においても同様で、電子錠１ａの鍵ＩＤが登録済みの電子鍵２を保持した使用者が玄関扉４の前に立ち、施錠可設定をしている人を含む在室者がいる場合は、電子錠１で施錠ボタン１２が押されると、玄関扉４のデッドボルトを駆動して施錠を行う。
【００５８】
外出時に電子鍵２が使用されて施錠されると（図１０のＳ１４〜Ｓ１５）、使用者（たとえば「おとうさん」）が外出したので制御端末３の制御部３７の在室者の記憶より消去する（Ｓ１６）。
【００５９】
このため、例えば図７（Ｂ）の設定では電子鍵２の登録時に施錠可の在室者の設定はすべての家族としているので、「わたし」のみが在室している場合でも電子鍵２を持って外出時には施錠を行って出かけられるので、内部から再度施錠を行う必要がない。
【００６０】
また、電子鍵２の登録時に施錠可の在室者の設定を「ぼく」、「わたし」、「おじいちゃん」、「おばあちゃん」のみにしておくと、「おかあさん」のみ在室の場合は電子錠１の施錠ボタン１２が押されても施錠が行われず、「おかあさん」は外出時に解錠することなく、玄関扉４のノブを回すことで扉を開けることができる。
【００６１】
以上のように、本実施の形態の電子錠システムによると、電子鍵２の登録を制御端末３で行って、電子鍵２の使用者の特定や解錠／施錠条件設定を行い在室者によって解錠／施錠を制御するので、必要に応じて電子鍵２を使用している人を住宅内から確認した後解錠／施錠でき、電子鍵の盗難等による使用に対して安全性が高い。
【００６２】
なお、本実施の形態では、電子鍵２が使用されて解錠されると使用者が在室していると制御端末３の制御部３７が記憶することとしたが、図１１のフローチャートに示すように、玄関扉４や勝手口５など出入り口の近辺の屋内側に人検出センサとして制御端末３と接続した赤外線センサ３８を設置して、電子鍵２による解錠後の一定時間内（例えば１分以内）に赤外線センサ３８が反応すると（Ｓ１７のＹｅｓ）、検出通知を制御端末３へ通知して電子鍵２の使用者が扉の内部に入ったこととみなして、在室していることと制御端末３の制御部３７が記憶することとしたり（Ｓ１３）、制御端末３の入力部３４を用いて在室を設定（例えば、帰宅時に本人が在室を設定）することとすれば、解錠のみで入室しなかったときなどは再度自動的に施錠を行う（Ｓ１９）といった制御を行うことで、確実に入室したことを識別して誤動作や施錠忘れに対してより安全にすることができる。
【００６３】
また、本実施の形態では、電子錠２と制御端末３との接続を有線としたが、無線通信によって行うこととすれば配線の必要がなくなり既築住宅の扉への後付設置が容易である。さらに、制御端末３を電子錠２とを別筐体とせず、電子錠２に制御端末３の機能を組み込むこととすれば、別に制御端末３の設置を行う必要もなくなる。
【００６４】
また、本実施の形態では、電子鍵２が解錠不可設定になっている場合には、内部から解錠操作を行うことで解錠することとしたが、内部からは解錠不可能としておけば子供のみで留守番等の場合に不用意に扉を解錠してしまう危険を避けることができる。
【００６５】
（実施の形態２）
以下、本発明の第二の実施の形態について図面を用いて説明する。
【００６６】
第二の実施の形態における電子錠システムの構成は、第一の実施の形態（図１）と同じで、違いは制御端末３の備えた無線通信機が電子鍵１との通信を屋内全体で行うことである。このため、制御端末３の無線通信可能距離を屋内全体で通信できる程度とする。例えば、屋内５０ｍでの無線通信を可能としておく。
【００６７】
本実施の形態における電子錠システムの動作を以下に説明する。
【００６８】
帰宅時における解錠の手順は第一の実施の形態と同じであるが、在室者の確認が異なり図１２のフローチャートで示す次の手順で行う。
【００６９】
制御端末３は、定期的（例えば３０秒毎）に制御端末用電子鍵通信部３２を介して電子鍵２に対して鍵ＩＤ要求を送信している（Ｓ２１）。この送信は、制御部３７によって電子鍵２のすべてに対してブロードキャストで行う。
【００７０】
宅内に存在する電子鍵２は、制御端末３からの鍵ＩＤ要求を受信すると、鍵ＩＤに応じたタイミングで制御端末３に対して鍵ＩＤを送信する。例えば、鍵ＩＤが“００２”なら
受信後２秒待って送信し、鍵ＩＤが“００４”なら受信後４秒待って送信することで信号の衝突を防ぐことができる。
【００７１】
制御端末３は、制御端末用電子鍵通信部３２によって電子鍵２から直接に鍵ＩＤを受信すると（Ｓ２２のＹｅｓ）、電子鍵２の使用者が扉の内部にいるとみなして、在室していることとして制御部３７に記憶する（Ｓ２３）。
【００７２】
受信予定の時間が経過すると受信タイムアウトして、在室者の確認を終了する（Ｓ２４のＹｅｓ）。
【００７３】
以上によって、解錠／施錠の制御を行うことで、家族で同時に入室した場合のように一人が電子鍵２を用いて解錠するので他に電子鍵２を用いずに入室する人がいた場合でも、確実に在室者を識別できる。
【００７４】
なお、本実施の形態では、制御端末３は電子鍵２の鍵ＩＤを定期的に読み出すことで在室者を識別することとしたが、電子鍵２とは別に認証鍵を設けて、認証鍵を各人が常に携帯してそれぞれの認証鍵ＩＤを制御端末３が記憶しておくこととすれば、子供のように電子鍵２を持っていない家族がいても認証鍵のみを各人が常時携帯するによって在室者を識別することができる。
【００７５】
また、本実施の形態では、制御端末３は電子鍵２のすべてに対してブロードキャストで同時に鍵ＩＤ要求を行うこととしたが、制御端末３に登録を記憶している電子鍵２のそれぞれに対して順番に鍵ＩＤ要求を行うこととすれば、無駄な受信待ち時間を設ける必要がない。
【００７６】
また、以上の実施の形態では、在室者を識別して在室者によって電子鍵２を有効にして解錠するかどうかを制御することとしたが、在室者を検出すると電子鍵２では解錠できないこととすれば、電子鍵２を保持している一人または一組だけしか入れない施設、部屋に設置することで、プライバシーを守る施設とすることができる。
【００７７】
また、上記各実施の形態において、電子錠１や電子鍵２や制御端末３の通信では暗号化された電文や「ローリングコード方式」や「チャレンジ／レスポンス方式」等のアクセス毎に変更される鍵ＩＤを用いたりすることで電子コピー（電子鍵の盗難や信号の盗聴によるコピー鍵の作成）に対する安全対策を行っておくことはもちろんである。
【００７８】
また、本発明は上記各実施の形態を各機器に実現させるプログラムであっても、そのプログラムを記録した記録媒体（ＲＯＭ内蔵カセットなど）であってもよい。プログラムを用いることで、そのプログラムを記録した記録媒体を交換して用いたり、ネットワークを介して書き換えたりすることで制御を変更することが容易にできる。
【産業上の利用可能性】
【００７９】
以上のように、本発明にかかる電子錠システムおよびそのプログラムは、室内にいる人を判断して個々の電子鍵の動作内容を限定して、室内における安全性を高くすることが可能なので、住宅用の扉のみでなく、いろいろな施設の出入り口や部屋の扉の開閉制御に適用し得るものである。
【図面の簡単な説明】
【００８０】
【図１】本発明の実施の形態における電子錠システムのシステム構成図
【図２】本発明の第一の実施の形態における電子錠のブロック構成図
【図３】本発明の第一の実施の形態における制御端末のブロック構成図
【図４】本発明の第一の実施の形態における鍵登録画面を示す図
【図５】本発明の第一の実施の形態における名称設定画面を示す図
【図６】本発明の第一の実施の形態における鍵名称を設定済みの鍵登録画面を示す図
【図７】本発明の第一の実施の形態における解錠設定画面と施錠設定画面を示す図
【図８】本発明の第一の実施の形態における各設定の完了した鍵設定画面を示す図
【図９】本発明の第一の実施の形態における制御端末の解錠制御動作を示すフローチャート
【図１０】本発明の第一の実施の形態における制御端末の在室者検出動作を示すフローチャート
【図１１】本発明の第一の実施の形態における制御端末の在室者検出動作を示す第２のフローチャート
【図１２】本発明の第二の実施の形態における制御端末の在室者検出動作を示すフローチャート
【符号の説明】
【００８１】
１  電子錠
２  電子鍵
３  制御端末
１１  電子鍵通信部
１５  制御端末通信部
３１  電子錠通信部
３２  制御端末用電子鍵通信部
３３  表示部
３４  入力部
３６  制御部
３８  赤外線センサ（人検出センサ）
３２１  無線送受信機
【図１】
2007191915.tif 000003
【図２】
2007191915.tif 000004
【図３】
2007191915.tif 000005
【図４】
2007191915.tif 000006
【図５】
2007191915.tif 000007
【図６】
2007191915.tif 000008
【図７】
2007191915.tif 000009
【図８】
2007191915.tif 000010
【図９】
2007191915.tif 000011
【図１０】
2007191915.tif 000012
【図１１】
2007191915.tif 000013
【図１２】
2007191915.tif 000014